(57)【要約】      （修正有）【課題】音あるいは光により警報を発して、鍵、かばん等の貴重品の位置をユーザーに知らせる貴重品位置報知装置を提供する。【解決手段】貴重品に連結する子機１及びユーザーが持つ母機２に警報電気回路、発光電気回路、高周波受信電気回路及び高周波発射電気回路を設ける。警報電気回路に発声素子１１１，２１１を接続し、発光電気回路に発光素子１２１，２２１を接続し、警報電気回路及び発光電気回路を高周波受信電気回路に接続し、母機２及び子機１の高周波受信電気回路は相手の高周波発射電気回路が発する高周波を受信可能とする。母機２の高周波受信電気回路に切替スイッチ２５を機体の外へ突出するよう設け、切替スイッチ２５が短距離に切り替えられ、高周波受信電気回路による高周波受信が途絶えた時、及び、切替スイッチ２５が長距離に切り替えられ、高周波受信電気回路が高周波を受信した時に、警報電気回路と発光電気回路が駆動して音声及び光による警報を発する。【選択図】図１
0003169727.tif 000002
【実用新案登録請求の範囲】
【請求項１】
貴重品に連結可能な子機と、ユーザーが持つ母機とを備え、該子機および母機に、それぞれ警報電気回路、発光電気回路、高周波受信電気回路及び高周波発射電気回路を設け、前記警報電気回路に発声素子を接続し、前記発光電気回路に発光素子を接続し、前記警報電気回路及び発光電気回路をそれぞれ高周波受信電気回路に接続し、前記母機の高周波受信電気回路は前記子機の高周波発射電気回路が発信する高周波を受信可能とし、前記子機の高周波受信電気回路は前記母機の高周波発射電気回路が発信する高周波を受信可能とし、前記母機の高周波受信電気回路には、受信距離の切替を行なう切替スイッチを機体の外へ突出するよう設け、該切替スイッチが短距離の探索モードに切り替えられ、前記高周波受信電気回路による高周波発射電気回路からの高周波受信が途絶えた時、及び、該切替スイッチが長距離の探索モードに切り替えられ、前記高周波受信電気回路が高周波発射電気回路からの高周波を受信した時に、前記子機及び母機の警報電気回路と発光電気回路が駆動して、それぞれ音声及び光による警報を発することを特徴とする、貴重品位置報知装置。
【請求項２】
前記発声素子が、ミクロ・ラッパ，ブザー又はセラミックス発声片であることを特徴とする、請求項１に記載の貴重品位置報知装置。
【請求項３】
前記発光素子が、発光ダイオード又はマイクロ電球であることを特徴とする、請求項１に記載の貴重品位置報知装置。
【考案の詳細な説明】
【技術分野】
【０００１】
本考案は、警報を発して鍵、カバン等の貴重品の位置をユーザーに知らせる貴重品位置報知装置に関する。
【背景技術】
【０００２】
鍵を使用してドアを開けた後に、鍵を抜き取り忘れて鍵孔に残してしまうと、たんに鍵を紛失するだけではすまず、泥棒に乗じるチャンスを与える可能性があり、危険で日常生活の安全に脅威を及ぼす。
又、鍵の置き場所を忘れて紛失することも多々あり、このような場合は、探しても鍵を見付けにくい。
しかし、現在は、鍵の紛失を防ぎ、鍵を探す際に鍵の置き場所を知らせる装置は知られていなかった。
【考案の概要】
【考案が解決しようとする課題】
【０００３】
本考案が解決しようとする課題は、鍵を抜き取り忘れて鍵孔に残したり、かばんを盗まれた時、鍵を紛失して探している時などに、音あるいは光により警報を発して鍵、かばん等の貴重品の位置をユーザーに知らせる貴重品位置報知装置を提供することにある。
【課題を解決するための手段】
【０００４】
本考案の貴重品位置報知装置は、貴重品に連結可能な子機と、ユーザーが持つ母機とを備え、該子機および母機に、それぞれ警報電気回路、発光電気回路、高周波受信電気回路及び高周波発射電気回路を設け、前記警報電気回路に発声素子を接続し、前記発光電気回路に発光素子を接続し、前記警報電気回路及び発光電気回路をそれぞれ高周波受信電気回路に接続し、前記母機の高周波受信電気回路は前記子機の高周波発射電気回路が発信する高周波を受信可能とし、前記子機の高周波受信電気回路は前記母機の高周波発射電気回路が発信する高周波を受信可能とし、前記母機の高周波受信電気回路には、受信距離の切替を行なう切替スイッチを機体の外へ突出するよう設け、該切替スイッチが短距離の探索モードに切り替えられ、前記高周波受信電気回路による高周波発射電気回路からの高周波受信が途絶えた時、及び、該切替スイッチが長距離の探索モードに切り替えられ、前記高周波受信電気回路が高周波発射電気回路からの高周波を受信した時に、前記子機及び母機の警報電気回路と発光電気回路が駆動して、それぞれ音声及び光による警報を発する。
【０００５】
前記発声素子は、ミクロ・ラッパ，ブザー又はセラミックス発声片である。
また、前記発光素子は、発光ダイオード又はマイクロ電球とする。
【考案の効果】
【０００６】
本考案によれば、互いに高周波の発信及び受信を行なう子機と母機を設け、高周波の受信状況によって音声及び光でユーザーに警報を発することにより、鍵を鍵孔に残して忘れることを防止し、紛失した鍵等を探し出すことができ、或いは、かばん、財布等の盗難を防ぐことができる。
【図面の簡単な説明】
【０００７】
【図１】本考案の実施例を示す貴重品位置報知装置の斜視図である。
【図２】本考案の実施例を示す貴重品位置報知装置の分解斜視図である。
【図３Ａ】本考案の実施例に係る子機の電気回路のブロック図である。
【図３Ｂ】本考案の実施例に係る母機の電気回路のブロック図である。
【図４】貴重品位置報知装置の第１の使用例を示す斜視図である。
【図５】貴重品位置報知装置の第２の使用例を示す斜視図である。
【図６】貴重品位置報知装置の第３の使用例を示す斜視図である。
【考案を実施するための形態】
【０００８】
以下、本考案の実施例を図面に基づいて詳細に説明する。
図１に示すように、本考案の貴重品位置報知装置は、鍵、かばん等の貴重品に連結可能な子機１と、ユーザーが持つ母機２とを備える。
図２及び図３Ａに示すように、子機１には、警報電気回路１１，発光電気回路１２，高周波受信電気回路１３及び高周波発射電気回路１４を設ける。
警報電気回路１１及び発光電気回路１２はそれぞれ高周波受信電気回路１３に接続される。また、警報電気回路１１には発声素子１１１（ミクロ・ラッパ，ブザー又はセラミックス発声片などの素子であってもよい）を接続し、発光電気回路１２には発光素子１２１（発光ダイオード又はマイクロ電球などの素子であってもよい）を接続してある。発声素子１１１と発光素子１２１は機体の外へ突出している。
【０００９】
図２及び図３Ｂに示すように、母機２には、警報電気回路２１，発光電気回路２２，高周波受信電気回路２３及び高周波発射電気回路２４を設ける。
警報電気回路２１に発声素子２１１（ミクロ・ラッパ，ブザー又はセラミックス発声片などの素子であってもよい）を接続し、発光電気回路２２に発光素子２２１（発光ダイオード又はマイクロ電球などの素子であってもよい）を接続する。発声素子２１１及び発光素子２２１は機体の外へ突出している。
【００１０】
警報電気回路２１及び発光電気回路２２はそれぞれ高周波受信電気回路２３に接続される。高周波受信電気回路２３には、受信距離の切替を行なう切替スイッチ２５を機体の外へ突出するよう設けてある。
そして、子機１の高周波発射電気回路１４が発信する高周波を母機２の高周波受信電気回路２３が受信し、母機２の高周波発射電気回路２４が発信する高周波を子機１の高周波受信電気回路１３が受信するようになっている。
【００１１】
切替スイッチ２５を短距離の探索モードに切り替えてある時、子機１と母機２とが所定距離以上離れて、子機１と母機２との間の高周波受信が途絶えると、子機１の警報電気回路１１及び発光電気回路１２がそれぞれ音と光とで警報を発すると共に、母機２の警報電気回路２１及び発光電気回路２２がそれぞれ音と光とで警報を発する。
従って、図４に示す第１の使用例のように、子機１を鍵１０に取り付けておき、ユーザーが持つ母機２の切替スイッチ２５を短距離の探索モードに切り替えられている時に、ユーザーがドアを開けた後に鍵１０を鍵孔から抜け取らずに離れると、直ちに警報電気回路１１，２１と発光電気回路１２，２２が駆動し、それぞれ音声及び光によりユーザーに指摘することができるので、鍵１０を鍵孔に残して忘れることを防止する。
【００１２】
一方、切替スイッチ２５を長距離の探索モードに切り替えてある時、子機１と母機２とが所定距離以下に接近して、子機１と母機２との間で高周波を受信すると、子機１の警報電気回路１１及び発光電気回路１２がそれぞれ音と光とで警報を発すると共に、母機２の警報電気回路２１及び発光電気回路２２がそれぞれ音と光とで警報を発する。
図５に示す第２の使用例のように、母機２の切替スイッチ２５が長距離の探索モードに切り替えられており、ユーザーが子機１を取り付けた鍵１０の置き場所を覚えていない時は、ユーザーが鍵１０を探す際に母機２を持ち歩くと、子機１と母機２とが互いの高周波を受信した時点で、警報電気回路１１，２１と発光電気回路１２，２２が駆動し、音声及び光によりユーザーに鍵１０の位置を指摘するため、紛失した鍵１０を見つけることができる。
【００１３】
図６は、第３の使用例を示す。
母機２の切替スイッチ２５を短距離の探索モードとした状態で、子機１をかばん３（或いは財布）に連結しておく。
かばん３が盗難にあうと、子機１と母機２が所定の距離以上を離れて、高周波発射電気回路１４，２４からの高周波を高周波受信電気回路１３，２３が受信しなくなった時点で、子機１及び母機２の警報電気回路１１，２１と発光電気回路１２，２２が作動し、子機１及び母機２が音と光により警報を発し、盗難防止の機能を果たす。
以上は、本考案の好ましい実施例を説明するものであって、本考案の要旨を変更しない程度の修飾・変更を行なっても、本考案の権利範囲に含まれる。
【符号の説明】
【００１４】
１  子機
２  母機
３  かばん
１０  鍵 
１１  警報電気回路 
１２  発光電気回路
１３  高周波受信電気回路
１４  高周波発射電気回路
２１  警報電気回路
２２  発光電気回路
２３  高周波受信電気回路
２４  高周波発射電気回路
２５  切替スイッチ
１１１  発声素子
１２１  発光素子
２１１  発声素子
２２１  発光素子   
【図１】
0003169727.tif 000003
【図２】
0003169727.tif 000004
【図３Ａ】
0003169727.tif 000005
【図３Ｂ】
0003169727.tif 000006
【図４】
0003169727.tif 000007
【図５】
0003169727.tif 000008
【図６】
0003169727.tif 000009